(57)【要約】【課題】表示モニタに上下に表示される表示欄にブランクが表示されず、リストの見栄えが悪くならないオーディオ装置を提供する。【解決手段】再生中の曲名を最上段の表示欄２１ａに表示するようにしている場合であっても、最下段の表示欄２１ｄに、再生対象のリストの最後の曲名である「ＪＪＪＪＪＪＪ」が表示されると、以下のようになる。曲名「ＧＧＧＧＧＧＧ」の音楽の再生が終了し、曲名「ＨＨＨＨＨＨＨ」の音楽の再生が開始されても、再生対象のリストがスクロールされて、曲名「ＨＨＨＨＨＨＨ」が表示欄２１ａに表示されることはない。つまり、再生対象のリストはスクロールされない。その結果、最下段の表示欄２１ｄにブランクは表示されない。【選択図】図４
2008034001.tif 000002
【特許請求の範囲】
【請求項１】
音楽情報が記憶された記憶媒体から音楽情報を読み出し、再生する音楽情報のリストを生成するリスト生成手段と、
前記リスト生成手段によって生成されたリストの音楽情報に対応する音楽を再生する再生手段と、
表示モニタに上下に表示された複数の表示欄に前記生成されたリストの複数の音楽情報のうちの一部の音楽情報を表示する表示制御手段とを備え、
前記表示制御手段は、前記リストをスクロールして前記リストの最後の音楽情報を表示する場合、常に前記最後の音楽情報を最下段の表示欄に表示し、前記リストをスクロールして前記リストの最初の音楽情報を表示する場合、常に前記最初の音楽情報を最上段の表示欄に表示することを特徴とするオーディオ装置。
【請求項２】
請求項１に記載のオーディオ装置において、
前記表示制御手段は、前記リストの最後の音楽情報を前記表示欄に表示しない場合、前記リストをスクロールして前記再生手段によって再生している音楽の音楽情報を最上段の表示欄に表示し、前記リストの最後の音楽情報を表示する場合、前記リストの最後の音楽情報を最下段の表示欄に表示して前記リストをスクロールしないことすることを特徴とするオーディオ装置。
【請求項３】
請求項１に記載のオーディオ装置において、
前記表示欄の数だけ前記リストをスクロールするスクロール手段を備え、
前記スクロール手段は、前記スクロール手段によって前記リストの最後の音楽情報を表示する場合、常に前記最後の音楽情報を最下段の表示欄に表示するように前記リストをスクロールし、前記リストの最初の音楽情報を表示する場合、常に前記最初の音楽情報を最上段の表示欄に表示するように前記リストをスクロールすることを特徴とするオーディオ装置。
【請求項４】
請求項１乃至３のいずれか１項に記載のオーディオ装置において、
前記音楽情報は前記記憶媒体に記憶されている音楽の曲名であることを特徴とするオーディオ装置。
【発明の詳細な説明】
【技術分野】
【０００１】
本発明は、オーディオ情報を表示モニタに表示するオーディオ装置に関する。
【背景技術】
【０００２】
再生対象の音楽データをリスト表示する車載用情報機器が従来技術として知られている（たとえば、特許文献１）。
【特許文献１】特開２００５−２８４５７４号公報
【発明の開示】
【発明が解決しようとする課題】
【０００３】
特許文献１に記載されているような従来の車載用情報機器では、再生対象の音楽データの全てを表示モニタに一括表示できないときは、リストをスクロール表示する。この場合、リストをスクロールして、最後尾の項目を表示した後もスクロールを続けるとブランクを表示することになるが、見栄えが悪くなるという問題点が生ずる。
【課題を解決するための手段】
【０００４】
（１）請求項１の発明のオーディオ装置は、音楽情報が記憶された記憶媒体から音楽情報を読み出し、再生する音楽情報のリストを生成するリスト生成手段と、リスト生成手段によって生成されたリストの音楽情報に対応する音楽を再生する再生手段と、表示モニタに上下に表示された複数の表示欄に生成されたリストの複数の音楽情報のうちの一部の音楽情報を表示する表示制御手段とを備え、表示制御手段は、リストをスクロールしてリストの最後の音楽情報を表示する場合、常に最後の音楽情報を最下段の表示欄に表示し、リストをスクロールしてリストの最初の音楽情報を表示する場合、常に最初の音楽情報を最上段の表示欄に表示することを特徴とする。
（２）請求項２の発明は、請求項１に記載のオーディオ装置において、表示制御手段は、リストの最後の音楽情報を表示欄に表示しない場合、リストをスクロールして再生手段によって再生している音楽の音楽情報を最上段の表示欄に表示し、リストの最後の音楽情報を表示する場合、リストの最後の音楽情報を最下段の表示欄に表示してリストをスクロールしないことを特徴とする。
（３）請求項３の発明は、請求項１に記載のオーディオ装置において、表示欄の数だけリストをスクロールするスクロール手段を備え、スクロール手段は、スクロール手段によってリストの最後の音楽情報を表示する場合、常に最後の音楽情報を最下段の表示欄に表示するようにリストをスクロールし、リストの最初の音楽情報を表示する場合、常に最初の音楽情報を最上段の表示欄に表示するようにリストをスクロールすることを特徴とする。
（４）請求項４の発明は、請求項１乃至３のいずれか１項に記載のオーディオ装置において、音楽情報は記憶媒体に記憶されている音楽の曲名であることを特徴とする。
【発明の効果】
【０００５】
本発明によれば、表示モニタに上下に表示される表示欄の数を越える音楽情報のリストを表示欄に表示するとき、リストをスクロールしてリストの一部の音楽情報を順次表示欄に表示する。このとき、リストの最後の音楽情報を表示する場合、常に最下段の表示欄に表示する。一方、リストの最初の音楽情報を表示する場合、常に最上段の表示欄に表示する。したがって、表示モニタにリスト表示される表示欄にブランクが表示されず、見栄えが悪くなることはない。
【発明を実施するための最良の形態】
【０００６】
本発明の実施形態によるオーディオ装置の構成を図１に示す。図１のオーディオ装置１は、再生対象の曲名などを表示モニタにリスト表示することができる。オーディオ装置１は、制御回路１１、ＲＯＭ１２、ＲＡＭ１３、画像メモリ１４、表示モニタ１５、スピーカ１６、入力装置１７、タッチパネル１８、タッチパネルコントロール部１９およびディスクドライブ１１０を有している。ディスクドライブ１１０には、音楽情報が記録されたＣＤ−ＲＯＭ１１１が装填される。
【０００７】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１は、表示モニタ１５に表示する画像を生成したり、ディスクドライブ１１０による音楽情報の再生を制御したりする。画像メモリ１４は、表示モニタ１５に表示する画像データを格納する。この画像データは制御回路１１によって適宜生成される。
【０００８】
表示モニタ１５は、ＣＤ−ＲＯＭ１１１に記憶されているオーディオ情報を表示したり、再生対象の音楽情報をリストとして表示したりする。スピーカ１６は、再生した音楽情報を出力する。入力装置１７は、ユーザが各種コマンドの設定などするための操作キーを有し、操作パネル上のボタンスイッチやパネル周囲のハードスイッチなどによって実現される。入力装置１７を操作することによって、リスト表示された音楽情報をスクロールしたり、再生する音楽を選択したりすることができる。
【０００９】
タッチパネル１８は、表示モニタ１５の表面に積層される透明のタッチスイッチであり、表示モニタ１５に表示される画像はタッチパネル１８を通して表示される。したがって、表示モニタ１５の表示画面を押圧するとタッチパネル１８が押圧される。タッチパネル１８は、タッチパネル１８上の操作位置に応じた信号をタッチパネルコントロール部１９に送出し、タッチパネルコントロール部１９はタッチパネル１８の押圧位置を算出する。
【００１０】
表示モニタ１５に表示された各種ボタンや表示メニューなどを指などで押圧するとタッチパネル１８は押圧され、各種ボタンや表示メニューに定義された処理が実行される。たとえば、選択された音楽の再生が開始されたり、リスト表示された曲名が順次切り替わったりする。
【００１１】
ディスクドライブ１１０は、装填されたＣＤ−ＲＯＭ１１１から音楽情報を読み出して再生する。再生された音楽情報は制御回路１１に出力され、スピーカ１６より出力される。また、ディスクドライブ１１０は、ＣＤ−ＲＯＭ１１１に記録されている音楽情報のうちのアーティスト情報や曲名、アルバム情報などの情報を読み出し、その情報を制御回路１１に出力する。これらの情報は表示モニタ１５に表示される。
【００１２】
次に、本発明の一実施形態におけるオーディオ装置１における再生対象の曲名のスクロール表示について、図２〜図９を参照して説明する。オーディオ装置１が音楽を再生するとき、図２に示すようなオーディオ画面２０が表示モニタ１５に表示される。オーディオ画面２０には、４つの表示欄２１ａ〜２１ｄが上下に表示され、再生対象の曲名うちの４つの曲名がリスト表示される。
【００１３】
再生対象のリストは、ＣＤ−ＲＯＭ１１１に記憶されているオーディオ情報を読み出して、制御回路１１が生成する。図３に示すように、本発明の実施形態の再生対象のリスト３０には、音楽情報として１０曲の曲名が格納されている。リスト３０に格納されている曲名は、リストの項目順で、上から「ＡＡＡＡＡＡＡ」、「ＢＢＢＢＢＢＢ」、「ＣＣＣＣＣＣＣ」、「ＤＤＤＤＤＤＤ」および「ＥＥＥＥＥＥＥ」である。そして、「ＦＦＦＦＦＦＦ」、「ＧＧＧＧＧＧＧ」、「ＨＨＨＨＨＨＨ」、「ＩＩＩＩＩＩＩ」および「ＪＪＪＪＪＪＪ」である。
【００１４】
リスト３０に格納されている音楽情報のうちの表示範囲３１に含まれる４つの音楽情報が表示モニタ１５に表示される。図３に示すように、矢印３２の方向にリスト３０をスクロールすることによって表示範囲３１に含まれる音楽情報を変更し、表示モニタ１５に表示される音楽情報を変えることができる。
【００１５】
図３のリスト３０を下方にスクロールすると、リスト３０の上方に表示された音楽情報が表示されるので、これを前方のスクロールと呼ぶ。一方、図３のリスト３０を上方にスクロールすると、リスト３０の下方に表示された音楽情報が表示されるので、これを後方のスクロールと呼ぶ。
【００１６】
図２に示すように、再生対象のリスト３０の最初の曲名である「ＡＡＡＡＡＡＡ」が再生中である。再生中の曲名「ＡＡＡＡＡＡＡ」については、原則、最上段の表示欄２１ａに表示され、ほかの曲名と異なる表示色で表示される。残りの表示欄２１ｂ〜２１ｃには、上から「ＢＢＢＢＢＢＢ」、「ＣＣＣＣＣＣＣ」および「ＤＤＤＤＤＤＤ」が表示される。曲名のリスト表示の詳細については後述する。
【００１７】
表示欄２１ａ〜２１ｄの右側にはリスト切替ボタン２２ａ，２２ｂが表示される。リスト切替ボタン２２ａ，２２ｂを押圧すると、再生対象のリスト３０がスクロールされ、表示欄２１ａ〜２１ｄに表示される曲名が切り替わる。このようにすることによって再生対象のリスト３０に格納されている全曲名を把握することができる。リスト切替ボタン２２ａ，２２ｂの詳細については、後述する。
【００１８】
オーディオ画面２０には、表示欄２１ａ〜２１ｄおよびリスト切替ボタン２２ａ，２２ｂのほかに、再生中の音楽の演奏モード２３、再生中の音楽のトラックナンバ２３および再生経過時間２４が表示される。
【００１９】
再生中の音楽が終了し、次の音楽の再生が開始されることに伴う再生対象の曲名のスクロール表示について、図４および図５を参照して説明する。曲名「ＡＡＡＡＡＡＡ」の音楽が再生中であるので、図４（ａ）に示すように、「ＡＡＡＡＡＡＡ」が最上段の表示欄２１ａに表示される。残りの表示欄２１ｂ〜２１ｄには、上から「ＢＢＢＢＢＢＢ」、「ＣＣＣＣＣＣＣ」および「ＤＤＤＤＤＤＤ」が表示される。
【００２０】
次に曲名「ＡＡＡＡＡＡＡ」の音楽の再生が終了し、曲名「ＢＢＢＢＢＢＢ」の音楽の再生が開始されると、図４（ｂ）に示すように、「ＢＢＢＢＢＢＢ」が表示欄２１ａに表示される。残りの表示欄２１ｂ〜２１ｄには、上から「ＣＣＣＣＣＣＣ」、「ＤＤＤＤＤＤＤ」および「ＥＥＥＥＥＥＥ」が表示される。
【００２１】
再生する音楽が「ＦＦＦＦＦＦＦ」まで順次進行し、次に曲名「ＧＧＧＧＧＧＧ」の音楽の再生が開始されると、図４（ｃ）に示すように、「ＧＧＧＧＧＧＧ」が表示欄２１ａに表示される。そして、表示欄２１ｂ，２１ｃには、「ＨＨＨＨＨＨＨ」および「ＩＩＩＩＩＩＩ」が表示される。最下段の表示欄２１ｄには、再生対象のリスト３０の最後の曲名である「ＪＪＪＪＪＪＪ」が表示される。
【００２２】
次に、最下段の表示欄２１ｄに再生対象のリスト３０の最後の曲名である「ＪＪＪＪＪＪＪ」が表示されている場合について説明する。この場合、曲名「ＧＧＧＧＧＧＧ」の音楽の再生が終了し、曲名「ＨＨＨＨＨＨＨ」の音楽の再生が開始されても、図４（ｄ）に示すように、再生対象の音楽のリスト３０はスクロールされない。つまり、表示欄２１ａ〜２１ｄに表示される曲名は図４（ｃ）と変わらず、表示欄２１ａと表示欄２１ｂの表示色のみが変わる。したがって、図５に示すように、表示欄２１ｄにブランクが表示されることはない。曲名「ＪＪＪＪＪＪＪ」の音楽の再生が終了するまで、表示欄２１ａ〜２１ｄに表示される曲名は図３（ｃ）、（ｄ）と変わらない。
【００２３】
次に、リスト切替ボタン２２ａによる再生対象の曲名のスクロール表示について、図６および図７を参照して説明する。図４（ａ）と同様に、曲名「ＡＡＡＡＡＡＡ」の音楽が再生中であるので、図６（ａ）に示すように、「ＡＡＡＡＡＡＡ」が表示欄２１ａに表示される。残りの表示欄２１ｂ〜２１ｄには、上から「ＢＢＢＢＢＢＢ」、「ＣＣＣＣＣＣＣ」および「ＤＤＤＤＤＤＤ」が表示される。
【００２４】
リスト切替ボタン２２ａが押圧されると、再生対象のリスト３０が表示欄２１ａ〜２１ｄの数だけ、つまり４曲分、後方へスクロールされる。その結果、図６（ｂ）に示すように、最上段の表示欄２１ａには、最下段の表示欄２１ｄに表示されていた「ＤＤＤＤＤＤＤ」の次の曲名である「ＥＥＥＥＥＥＥ」が表示される。残りの表示欄２１ｂ〜２１ｄには、上から「ＦＦＦＦＦＦＦ」、「ＧＧＧＧＧＧＧ」および「ＨＨＨＨＨＨＨ」が表示される。このようにして、図６（ａ）に表示されていない再生対象の曲名を把握することができる。
【００２５】
さらに、リスト切替ボタン２２ａを押圧すると、再生対象のリストが４曲分ではなく２曲分、後方へスクロールされる。その結果、図６（ｃ）に示すように、表示欄２１ａには「ＧＧＧＧＧＧＧ」、表示欄２１ｂには「ＨＨＨＨＨＨＨ」、表示欄２１ｃには「ＩＩＩＩＩＩＩ」が表示される。そして、最下段の表示欄２１ｄには、再生対象のリスト３０の最後の曲名である「ＪＪＪＪＪＪＪ」が表示される。したがって、図７に示すように、再生対象のリスト３０の４曲分、後方へスクロールされ、表示欄２１ｃ，２１ｄにブランクが表示されることはない。
【００２６】
図６（ｃ）において、さらにリスト切替ボタン２２ａを押圧すると、表示欄２１ａ〜２１ｄの表示が図６（ａ）の表示に戻る。
【００２７】
次に、リスト切替ボタン２２ｂによる再生対象の曲名のスクロール表示について、図８および図９を参照して説明する。図６（ｃ）と同様に、図８（ａ）に示すように、表示欄２１ａ〜２１ｄには、上から「ＧＧＧＧＧＧＧ」、「ＨＨＨＨＨＨＨ」、「ＩＩＩＩＩＩＩ」および「ＪＪＪＪＪＪＪ」が表示される。
【００２８】
リスト切替ボタン２２ｂを押圧すると、再生対象のリスト３０が表示欄２１ａ〜２１ｄの数だけ、つまり４曲分、前方へスクロールされる。その結果、図８（ｂ）に示すように、最下段の表示欄２１ｄには、最上段の表示欄２１ａに表示されていた「ＧＧＧＧＧＧＧ」の前の曲名である「ＦＦＦＦＦＦＦ」が表示される。残りの表示欄２１ａ〜２１ｃには、上から「ＣＣＣＣＣＣＣ」、「ＤＤＤＤＤＤＤ」および「ＥＥＥＥＥＥＥ」が表示される。このようにして、図８（ａ）に表示されていない再生対象の曲名を把握することができる。
【００２９】
さらに、リスト切替ボタン２２ａを押圧すると、再生対象のリストが４曲分ではなく２曲分、前方へスクロールされる。その結果、図８（ｃ）に示すように、最上段の表示欄２１ａには、再生対象のリスト３０の最初の曲である「ＡＡＡＡＡＡＡ」が表示される。そして、表示欄２１ｂには「ＢＢＢＢＢＢＢ」、表示欄２１ｃには「ＣＣＣＣＣＣＣ」、表示欄２１ｄには「ＤＤＤＤＤＤＤ」が表示される。したがって、図９に示すように、再生対象のリスト３０の４曲分、前方へスクロールされ、表示欄２１ａ，２１ｂにブランクが表示されることはない。
【００３０】
図８（ｃ）において、さらにリスト切替ボタン２２ｂを押圧すると、表示欄２１ａ〜２１ｄの表示が図８（ａ）の表示に戻る。
【００３１】
次に、再生中の音楽が終了し、次の音楽の再生が開始されることに伴う再生対象の曲名のスクロール表示処理について、図１０のフローチャートを参照して説明する。図１０の処理は、ＣＤ−ＲＯＭ１１１に記憶されている音楽情報の再生が開始されるとスタートするプログラムにより制御回路１１において実行される。
【００３２】
ステップＳ１００１では、ＣＤ−ＲＯＭ１１１に記憶されているオーディオ情報をディスクドライブ１１０で読み出し、ＣＤ−ＲＯＭ１１１に記憶されている曲の数、つまりトラック総数（ｍ）を取得する。ステップＳ１００２では、再生中のトラックナンバ（ｎ）の情報を取得する。ステップＳ１００３では、トラック総数（ｍ）が再生中のトラックナンバ（ｎ）に３を加算した値より小さいか判定する。小さい場合はステップＳ１００３が肯定判定され、ステップＳ１００４へ進む。トラック総数（ｍ）が再生中のトラックナンバ（ｎ）に３を加算した値以上の値の場合はステップＳ１００３が否定判定され、ステップＳ１００６へ進む。
【００３３】
ステップＳ１００４では、（ｍ−３）を最上段の表示欄２１ａのトラックナンバに設定すし、（ｍ−２）を２段目の表示欄２１ｂのトラックナンバに設定する。（ｍ−１）を３段目の表示欄２１ｃのトラックナンバに設定し、ｍを最下段の表示欄２１ｄのトラックナンバに設定する。ステップＳ１００５では、設定したトラックナンバの曲名を表示欄２１ａ〜２１ｄに表示する。そして、リターンする。
【００３４】
ステップＳ１００６では、ｎを最上段の表示欄２１ａのトラックナンバに設定し、（ｎ＋１）を２段目の表示欄２１ｂのトラックナンバに設定する。（ｎ＋２）を３段目の表示欄２１ｃのトラックナンバに設定し、（ｎ＋３）を最下段の表示欄２１ｄのトラックナンバに設定する。そして、ステップＳ１００５へ進む。
【００３５】
次に、リスト切替ボタン２２ａによる再生対象の曲名の後方スクロール表示処理について、図１１のフローチャートを参照して説明する。図１１の処理は、リスト切替ボタン２２ａが押圧されるとスタートするプログラムにより制御回路１１において実行される。
【００３６】
ステップＳ１１０１では、ＣＤ−ＲＯＭ１１１のトラック総数（ｍ）を取得する。ステップＳ１１０２では、最上段の表示欄２１ａに設定されているトラックナンバ（ｐ）を取得する。ステップＳ１１０３では、トラック総数（ｍ）が最上段の表示欄２１ａに設定されているトラックナンバ（ｐ）に３を加算した値と同じ値であるかを判定する。同じ値の場合はステップＳ１１０３が肯定判定され、ステップＳ１１０７へ進む。異なる値の場合はステップＳ１１０３が否定判定され、ステップＳ１１０４へ進む。
【００３７】
ステップＳ１１０４では、トラック総数（ｍ）が最上段の表示欄２１ａに設定されているトラックナンバ（ｐ）に７を加算した値より小さいかを判定する。小さい場合はステップＳ１１０４が肯定判定され、ステップＳ１１０５へ進む。トラック総数（ｍ）が最上段の表示欄２１ａに設定されているトラックナンバ（ｐ）に７を加算した値以上の値の場合はステップＳ１１０４が否定判定され、ステップＳ１１０８へ進む。
【００３８】
ステップＳ１１０５では、（ｍ−３）を最上段の表示欄２１ａのトラックナンバに設定し、（ｍ−２）を２段目の表示欄２１ｂのトラックナンバに設定する。（ｍ−１）を３段目の表示欄２１ｃのトラックナンバに設定し、ｍを最下段の表示欄２１ｄのトラックナンバに設定する。ステップＳ１００６では、設定したトラックナンバの曲名を表示欄２１ａ〜２１ｄに表示する。そして、リターンする。
【００３９】
ステップＳ１１０７では、ｐの値を−３とする。ステップＳ１１０８では、（ｐ＋４）を最上段の表示欄２１ａのトラックナンバに設定し、（ｐ＋５）を２段目の表示欄２１ｂのトラックナンバに設定する。（ｐ＋６）を３段目の表示欄２１ｃのトラックナンバに設定し、（ｐ＋７）を最下段の表示欄２１ｄのトラックナンバに設定する。そして、ステップＳ１１０６へ進む。
【００４０】
次に、リスト切替ボタン２２ｂによる再生対象の曲名の前方スクロール表示処理について、図１２のフローチャートを参照して説明する。図１２の処理は、リスト切替ボタン２２ｂが押圧されるとスタートするプログラムにより制御回路１１において実行される。
【００４１】
ステップＳ１２０１では、ＣＤ−ＲＯＭ１１１のトラック総数（ｍ）を取得する。ステップＳ１２０２では、最上段の表示欄２１ａに設定されているトラックナンバ（ｐ）を取得する。ステップＳ１２０３では、最上段の表示欄２１ａに設定されているトラックナンバ（ｐ）が１であるかを判定する。１の場合はステップＳ１２０３が肯定判定され、ステップＳ１２０７へ進む。１でない場合はステップＳ１２０３が否定判定され、ステップＳ１２０４へ進む。
【００４２】
ステップＳ１２０４では、最上段の表示欄２１ａに設定されているトラックナンバ（ｐ）より４を引き算した値が１より小さいかを判定する。小さい場合はステップＳ１２０４が肯定判定され、ステップＳ１２０５へ進む。１以上の値の場合はステップＳ１２０４が否定判定され、ステップＳ１２０８へ進む。
【００４３】
ステップＳ１２０５では、１を最上段の表示欄２１ａのトラックナンバに設定し、２を２段目の表示欄２１ｂのトラックナンバに設定する。３を３段目の表示欄２１ｃのトラックナンバに設定し、４を最下段の表示欄２１ｄのトラックナンバに設定する。ステップＳ１２０６では、設定したトラックナンバの曲名を表示欄２１ａ〜２１ｄに表示する。そして、リターンする。
【００４４】
ステップＳ１２０７では、ｐの値をｍ＋１とする。ステップＳ１２０８では、（ｐ−４）を最上段の表示欄２１ａのトラックナンバに設定し、（ｐ−３）を２段目の表示欄２１ｂのトラックナンバに設定する。（ｐ−２）を３段目の表示欄２１ｃのトラックナンバに設定し、（ｐ−１）を最下段の表示欄２１ｄのトラックナンバに設定する。そして、ステップＳ１２０６へ進む。
【００４５】
以上の本発明の実施の形態によるオーディオ装置１は次のような作用効果を奏する。
（１）表示モニタ１５に上下に表示される表示欄２１ａ〜２１ｄの数（４）を越える曲名数の再生対象のリスト３０をスクロールして表示欄２１ａ〜２１ｄに表示するとき、以下のように表示する。リストの最後の曲名「ＪＪＪＪＪＪＪ」を表示する場合、常に最下段の表示欄２１ｄに表示する。また、リストの最初の曲名「ＡＡＡＡＡＡＡ」を表示する場合、常に最上段の表示欄２１ａに表示する。したがって、表示モニタ１５に表示する表示欄２１ａ〜２１ｄにブランクが表示されず、見栄えが悪くなることはない。
【００４６】
（２）原則、リスト３０をスクロールして再生中の音楽の曲名を最上段の表示欄２１ａに表示する。しかし、再生対象のリスト３０の最後の項目「ＪＪＪＪＪＪＪ」が最下段の表示欄２１ｄに表示された後、次の音楽が再生されてもその音楽の曲名は最上段の表示欄２１ａに表示されない。つまり、再生されている音楽の曲名は下方へ順次ずれていく。したがって、再生対象のリスト３０の音楽の再生が終了することを容易に把握することができる。
【００４７】
（３）リスト切替ボタン２２ａ，２２ｂを押圧すると、再生対象のリスト３０が表示欄２１ａ〜２１ｄの数だけ、つまり４曲分、スクロールされる。したがって、再生対象のリスト３０の全曲名を容易に把握することができる。しかも、リストの最後の曲名「ＪＪＪＪＪＪＪ」が表示される場合、常にリストの最後の曲名「ＪＪＪＪＪＪＪ」が最下段の表示欄２１ｄに表示するように再生対象のリスト３０はスクロールされる。そして、リストの最初の曲名「ＡＡＡＡＡＡＡ」を表示する場合、常にリストの最初の曲名「ＡＡＡＡＡＡＡ」が最上段の表示欄２１ａに表示するように再生対象のリスト３０はスクロールされる。したがって、表示モニタ１５に表示する表示欄２１ａ〜２１ｄにブランクが表示されず、見栄えが悪くなることはない。
【００４８】
以上の実施の形態のナビゲーション装置１を次のように変形することができる。
（１）表示モニタ１５に上下に表示する表示欄２１ａ〜２１ｄの数は４つに限定されず、表示画面の大きさによって適宜選択することができる。
（２）再生する記録媒体はＣＤ−ＲＯＭ１１１に限定されず、ハードディスク、ＭＤやそのほかの記録媒体でもよい。
（３）表示欄２１ａ〜２１ｄに表示される情報は、記録媒体に記録されている音楽情報であれば、曲名に限定されない。
（４）オーディオ機能を備えたナビゲーション装置も本発明のオーディオ装置に含まれる。
【００４９】
本発明は、その特徴的構成を有していれば、以上説明した実施の形態になんら限定されない。
【００５０】
特許請求の範囲の要素と実施の形態との対応関係を説明する。
本発明のリスト生成手段は制御回路１１に対応し、再生手段は制御回路１１およびディスクドライブ１１０に対応する。表示制御手段は制御回路１１に対応し、スクロール手段は、制御回路１１、タッチパネル１８およびタッチパネルコントロール部１９に対応する。なお、以上の説明はあくまで一例であり、発明を解釈する上で、上記の実施形態の構成要素と本発明の構成要素の対応関係になんら限定されるものではない。
【図面の簡単な説明】
【００５１】
【図１】本発明のオーディオ装置の構成を示すブロック図である。
【図２】オーディオ画面を説明するための図である。
【図３】再生対象のリストを説明するための図である。
【図４】次の音楽が再生開始されるときの曲名の表示について説明するための図である。
【図５】表示欄にブランクを表示したオーディオ画面を説明するための図である。
【図６】リスト切替ボタンを押圧してリストを後方にスクロールしたときの曲名の表示を説明するための図である。
【図７】表示欄にブランクを表示したオーディオ画面を説明するための図である。
【図８】リスト切替ボタンを押圧してリストを前方にスクロールしたときの曲名の表示を説明するための図である。
【図９】表示欄にブランクを表示したオーディオ画面を説明するための図である。
【図１０】次の音楽の再生が開始されるときの曲名の表示処理について説明するためのフローチャートである。
【図１１】リスト切替ボタンを押圧してリストを後方にスクロールしたときの曲名の表示処理について説明するためのフローチャートである。
【図１２】リスト切替ボタンを押圧してリストを前方にスクロールしたときの曲名の表示処理について説明するためのフローチャートである。
【符号の説明】
【００５２】
１  オーディオ装置
１１  制御回路
１２  ＲＯＭ
１３  ＲＡＭ
１５  表示モニタ
１７  入力装置
１８  タッチパネル
１１０  ディスクドライブ
１１１  ＣＤ−ＲＯＭ
【図１】
2008034001.tif 000003
【図２】
2008034001.tif 000004
【図３】
2008034001.tif 000005
【図４】
2008034001.tif 000006
【図５】
2008034001.tif 000007
【図６】
2008034001.tif 000008
【図７】
2008034001.tif 000009
【図８】
2008034001.tif 000010
【図９】
2008034001.tif 000011
【図１０】
2008034001.tif 000012
【図１１】
2008034001.tif 000013
【図１２】
2008034001.tif 000014